(57)【要約】【課題】電子回路が設けられた基板と、該基板の一方の端部側に設けられ、導電性を有する前面パネルとからなり、前記シェルフに対して挿抜されるパッケージに設けられ、前記前面パネルに回転可能に設けられたイジェクタ本体とを有し、前記パッケージが前記シェルフに挿入された状態で、前記イジェクタ本体の一方の回転端部側を一方の方向に回転させると、他方の回転端部側が前記シェルフを押し、前記シェルフから抜ける方向の力が作用するイジェクタ構造に関し、操作が簡単で、確実に、静電気の除去ができ、更に、金属粉の発生も少ないパッケージを提供することを課題とする。【解決手段】イジェクタ本体７に設けられ、前面パネル６と電気的に接続され、パッケージ１がシェルフに挿入された状態で、シェルフに当接可能な導電性を有する金具１７と、金具１７がシェルフに当接する方向に付勢する第１の付勢手段とを有する。【選択図】図１
2008130965.tif 000002
【特許請求の範囲】
【請求項１】
電子回路が設けられた基板と、該基板の一方の端部側に設けられ、導電性を有する前面パネルとからなり、前記シェルフに対して挿抜されるパッケージに設けられ、前記前面パネルに回転可能に設けられたイジェクタ本体とを有し、前記パッケージが前記シェルフに挿入された状態で、前記イジェクタ本体の一方の回転端部側を一方の方向に回転させると、他方の回転端部側が前記シェルフを押し、前記シェルフから抜ける方向の力が作用するイジェクタ構造において、
前記イジェクタ本体に設けられ、前記前面パネルと電気的に接続され、前記パッケージがシェルフに挿入された状態で、前記シェルフに当接可能な導電性を有する金具と、
該金具が前記シェルフに当接する方向に付勢する第１の付勢手段と、
を有すること特徴とするイジェクタ構造。
【請求項２】
前記金具は、前記パッケージの前面パネルに設けられ、前記イジェクタ本体の回転軸であって、前記パッケージの前面パネルと電気的に接続された導電性を有するシャフトに対して回転可能に設けられ、更に、前記シャフトに電気的に接続されたことを特徴とする請求項１記載のイジェクタ構造。
【請求項３】
前記イジェクタ本体を回転付勢する第２の付勢手段と、
前記イジェクタ本体が前記第２の付勢手段によってそれ以上回転するのを禁止するストッパと、
を設けたことを特徴とする請求項１又は２記載のイジェクタ構造。
【請求項４】
前記第２の付勢手段は、前記イジェクタ本体の他方の回転端部が前記シェルフを押す方向に付勢し、
前記イジェクタ本体が前記第２の付勢手段によって回転するのを禁止／許可するロック手段を設け、
前記イジェクタ本体は、前記パッケージが前記シェルフに挿入されると、その他方の端部が前記シェルフにより押され、前記第２の付勢手段の付勢力に抗して回転する形状に設定されていることを特徴とする請求項３記載のイジェクタ構造。
【請求項５】
前記ロック手段は、
前記シェルフ、前記前面パネルのいずれかに形成された被係合部と、
前記イジェクタ本体に回転可能に設けられ、回転端部側に、前記シェルフに形成された被係合部係脱可能な係合部が形成されたロック部材と、
該係合部が前記被係合部に係合する方向に前記ロック部材を付勢する第３の付勢手段と、
からなることを特徴とする請求項３又は４記載のイジェクタ構造。
【発明の詳細な説明】
【技術分野】
【０００１】
本発明は、電子回路が設けられた基板と、該基板の一方の端部側に設けられ、導電性を有する前面パネルとからなり、前記シェルフに対して挿抜されるパッケージに設けられ、前記前面パネルに回転可能に設けられたイジェクタ本体とを有し、前記パッケージが前記シェルフに挿入された状態で、前記イジェクタ本体の一方の回転端部側を一方の方向に回転させると、他方の回転端部側が前記シェルフを押し、前記シェルフから抜ける方向の力が作用するイジェクタ構造に関する。
【背景技術】
【０００２】
シェルフに搭載されるパッケージに取り付けられている前面パネルは、操作者の手が触れる事などにより、静電気が帯電する場合がある。帯電した静電気が、パッケージの基板上に搭載してある電気部品や回路に放電されてしまうと、誤動作や破損の原因となる。従って、前面パネルに帯電した静電気を確実にフレームグランドにおとす必要がある。
【０００３】
従来の装置では、例えば以下の手段で問題を解決していた。
（１）前面パネルの上下方向をシェルフまで伸ばし、パッケージ挿入後にシェルフに対してねじ固定することで、前面パネルと、シェルフとを電気的に接続し、前面パネルに帯電した静電気をシェルフを介してフレームグランドにおとす。
（２）イジェクタ本体に、常に前面パネルとシェルフとに押接する金属片を設けて、前面パネルとシェルフとを電気的に接続し、前面パネルに帯電した静電気をシェルフを介してフレームグランドにおとす（例えば、特許文献１参照）。
【特許文献１】特開平９−１８１４６８号公報（図４、図６参照）
【発明の開示】
【発明が解決しようとする課題】
【０００４】
しかし、（１）に記載した手段では、パッケージをシェルフから挿脱する際に、ねじの取り付け、取り外しの作業が必要となり、手間がかかる。（２）に記載した手段では、弾性を有する金属片が、前面パネルとシェルフとの２カ所に常に押接しているので、イジェクタ本体が回転すると、金属粉が発生し、基板上の回路がショートする場合がある。
【０００５】
本発明は、上記問題点に鑑みてなされたもので、その課題は、操作が簡単で、確実に、静電気の除去ができ、更に、金属粉の発生も少ないイジェクタ構造を提供することにある。
【課題を解決するための手段】
【０００６】
上記課題を解決する請求項１に係る発明は、電子回路が設けられた基板と、該基板の一方の端部側に設けられ、導電性を有する前面パネルとからなり、前記シェルフに対して挿抜されるパッケージに設けられ、前記前面パネルに回転可能に設けられたイジェクタ本体とを有し、前記パッケージが前記シェルフに挿入された状態で、前記イジェクタ本体の一方の回転端部側を一方の方向に回転させると、他方の回転端部側が前記シェルフを押し、前記シェルフから抜ける方向の力が作用するイジェクタ構造において、前記イジェクタ本体に設けられ、前記前面パネルと電気的に接続され、前記パッケージがシェルフに挿入された状態で、前記シェルフに当接可能な導電性を有する金具と、該金具が前記シェルフに当接する方向に付勢する第１の付勢手段と、を有すること特徴とするイジェクタ構造である。
【０００７】
パッケージがシェルフに挿入されると、第１の付勢手段によって付勢された金具がシェルフに当接し、パッケージの前面パネルに帯電している静電気が導電性を有する金具、シェルフを介してフレームグランドに落とされる。
【０００８】
請求項２に係る発明は、前記金具は、前記パッケージの前面パネルに設けられ、前記イジェクタ本体の回転軸であって、前記パッケージの前面パネルと電気的に接続された導電性を有するシャフトに対して回転可能に設けられ、更に、前記シャフトに電気的に接続されたことを特徴とする請求項１記載のイジェクタ構造である。
【０００９】
請求項３に係る発明は、前記イジェクタ本体を回転付勢する第２の付勢手段と、前記イジェクタ本体が前記第２の付勢手段によってそれ以上回転するのを禁止するストッパと、を設けたことを特徴とする請求項１又は２記載のイジェクタ構造である。
【００１０】
イジェクタ本体は、第２の付勢手段により、回転付勢され、ストッパに当接している。
請求項４に係る発明は、前記第２の付勢手段は、前記イジェクタ本体の他方の回転端部が前記シェルフを押す方向に付勢し、前記イジェクタ本体が前記第２の付勢手段によって回転するのを禁止／許可するロック手段を設け、前記イジェクタ本体は、前記パッケージが前記シェルフに挿入されると、その他方の端部が前記シェルフにより押され、前記第２の付勢手段の付勢力に抗して回転する形状に設定されていることを特徴とする請求項３記載のイジェクタ構造である。
【００１１】
パッケージをシェルフに挿入すると、第２の付勢手段により前記イジェクタ本体の他方の回転端部が前記シェルフを押す方向に付勢されている前記イジェクタ本体は、他方の端部が前記シェルフにより押され、前記第２の付勢手段の付勢力に抗して回転する。
【００１２】
請求項５に係る発明は、前記ロック手段は、前記シェルフ、前記前面パネルのいずれかに形成された被係合部と、前記イジェクタ本体に回転可能に設けられ、回転端部側に、前記シェルフに形成された被係合部係脱可能な係合部が形成されたロック部材と、該係合部が前記シェルフに形成された被係合部に係合する方向に前記ロック部材を付勢する第３の付勢手段と、からなることを特徴とする請求項３又は４記載のイジェクタ構造である。
【発明の効果】
【００１３】
請求項１−５に係る発明によれば、前記イジェクタ本体に設けられ、前記前面パネルと電気的に接続され、前記パッケージがシェルフに挿入された状態で、前記シェルフに当接可能な導電性を有する金具と、該金具が前記シェルフに当接する方向に付勢する第１の付勢手段と、を有することにより、パッケージをシェルフに挿入するだけで、前面パネルに帯電した静電気を金具、シェルフを介してフレームグランドに落とすことができる。即ち、パッケージをシェルフに挿入するという簡単な操作で、確実に、静電気の除去ができる。
【００１４】
又、金具は第１の付勢手段により付勢されてシェルフに当接することにより、金属粉の発生も少ない。
更に、イジェクタ本体を樹脂で形成することが可能となるので、例えば、イジェクタ本体の操作部分の幅を広く形成することにより、イジェクタ本体の部品強度を確保しつつ、イジェクタ本体の操作部分を指で押した際に反力として指に加わる圧力を低下させ、強く操作しても痛くない形状を実現できる。
【００１５】
請求項２に係る発明によれば、前記金具は、前記パッケージの前面パネルに設けられ、前記イジェクタ本体の回転軸に回転可能に設けられることにより、即ち、イジェクタ本体の回転軸と、金具の回転軸とを共用するようにしたことにより、部品点数を削減できる。
【００１６】
請求項３に係る発明によれば、前記イジェクタ本体を回転付勢する第２の付勢手段と、前記イジェクタ本体が前記第２の付勢手段によってそれ以上回転するのを禁止するストッパと、を設けたことにより、イジェクタ本体は前面パネルに対して常に同じ位置に位置する。よって、ストッパの位置を選定することにより、パッケージをシェルフに挿入する際にイジェクタ本体を適正な位置に位置するような修正作業が不要となる。
【００１７】
請求項４に係る発明によれば、前記第２の付勢手段は、前記イジェクタ本体の他方の回転端部が前記シェルフを押す方向に付勢し、前記イジェクタ本体が前記第２の付勢手段によって回転するのを禁止／許可するロック手段を設け、前記イジェクタ本体は、前記パッケージが前記シェルフに挿入されると、その他方の回転端部が前記シェルフにより押され、前記第２の付勢手段の付勢力に抗して回転する形状に設定されていることにより、パッケージをシェルフに挿入すると、イジェクタ本体は、第２の付勢手段の付勢力に抗して回転し、操作が簡単となる。
【発明を実施するための最良の形態】
【００１８】
最初に、図５−図７を用いて、本形態例のイジェクタ構造を有するパッケージの全体構成を説明する。図５はパッケージの正面図、図６は図５の上面図、図７は図５の左側面図である。尚、図５は、パッケージがシェルフに挿入された状態を示している。
【００１９】
これらの図に示すように、本形態例のパッケージ１は、電子回路が設けられた基板３と、基板３の一方の端部側に配置され、導電性を有する金属からなる前面パネル６とを有している。前面パネル６には、基板３を挟むように形成され、ねじ等で基板３に取り付けられる基板取付部１３、１４が２組形成されている。前面パネル６の上部と下部とには、樹脂成形品のイジェクタ本体７が回転可能に設けられている。又、基板３の他方の端部側には、シェルフ側のコネクタ９に接続されるコネクタ１１が設けられている。
【００２０】
又、図５において、１６は導電性の材料からなるシェルフのはりである。
次に、図１−４を用いて、イジェクタ本体の説明を行なう。図１はイジェクタ本体の取付を説明する図、図２は図１のロック手段を説明する図、図３は図１の金具の取付を説明する図、図４は図１の切断線Ａ−Ａでの断面図である。尚、イジェクタ本体７は前面パネル６の上部側と下部側とに設けられるが、同一構成なので、下部側のイジェクタ本体７で説明を行ない、上部側のイジェクタ本体７の説明は省略する。
【００２１】
図１、図３、図４に示すように、イジェクタ本体７の一方の側は操作部７ｃとなっている。又、イジェクタ本体７の他方の側は二股状となっており、二股状となった一方の方が第１当接部７ｄ、他方の方が第２当接部７ｅとなっている。第２当接部７ｅには、穴７ａが形成されている。イジェクタ本体７の第２当接部７ｅには、断面形状がコの字形の導電性を有する金具１７が配置され、この金具１７には、イジェクタ本体７の穴７ａに対向する穴１７ａ、１７ｂが形成されている。
【００２２】
又、基板３には穴３ａが形成されている。前面パネル６の下部には、基板３の穴３ａに対向する穴６ａ、６ｂが形成されている。そして、前面パネル６の穴６ａ、金具１７の穴１７ａ、イジェクタ本体７の穴７ａ、金具１７の穴１７ｂ、基板３の穴３ａ、前面パネル６の穴６ａを挿通するシャフト１５により、イジェクタ本体７は、前面パネル６に対して回転可能に取り付けられている。又、金具１７はイジェクタ本体７に対して回転可能となっている。尚、シャフト１５は導電性を有している。
【００２３】
図１に示すように、パッケージ１がシェルフに挿入された状態で、イジェクタ本体７の第１当接部７ｄは、はり１６の立壁部１６ｂを介してシェルフの外側に位置し、第２当接部７ｅは、はり１６の立壁部１６ｂを介してシェルフの内側に位置している。
【００２４】
よって、第１当接部７ｄがはり１６の立壁部１６ｂの外側の面をシェルフの外側から押すと、シェルフに挿入されたパッケージ１には、シェルフから抜ける方向の力が作用するようになっている。又、第２当接部７ｅがはり１６の立壁部１６ｂの内側の面をシェルフの内側から押すと、シェルフに挿入されたパッケージ１には、シェルフに挿入される方向の力が作用するようになっている。更に、金具１７はシェルフの内側からはり１６の立壁部１６ｂに当接可能となっている。
【００２５】
そして、中間部がシャフト１５に巻回され、一方の端部が前面パネル６に係止され、他方の端部がイジェクタ本体７に係止されたスプリング（第２の付勢手段）１９により、イジェクタ本体７は、その第１当接部７ｄがはり１６の立壁部１６ｂの内側の面に当接する方向（図１において矢印Ｂ方向）に付勢されている。
【００２６】
又、金具１７は図示しない付勢手段（第１の付勢手段）の付勢力により、図において、矢印Ｃ方向、即ち、パッケージ１をシェルフに挿入すると、はり１６の立壁部１６ｂの内側の面に当接する方向に付勢されている。このため、  パッケージ１がシェルフに挿入されると、第１の付勢手段によって付勢された金具１７がシェルフのはり１６の立壁部１６ｂの内側の面に当接し、パッケージ１の前面パネル６に帯電している静電気が、導電性を有するシャフト１５、金具１７、シェルフのはり１６を介してフレームグランドに落とされるようになっている。尚、パッケージ１がシェルフに挿入されていいない状態では、金具１７は図示しない付勢手段（第１の付勢手段）の付勢力により、第２当接部７ｅに形成された突部７ｈに当接し、それ以上の回転が禁止されている。
【００２７】
次に、図１、図２に示すように、イジェクタ本体７の中間部の前面パネル６側には、穴７ｇが形成されている。イジェクタ本体７の中間部には、断面形状がコの字形のロック部材２１が配置され、このロック部材２１には、イジェクタ本体７の穴７ｇ対向する穴２１ａ、２１ｂが形成されている。そして、ロック部材２１の穴２１ａ、イジェクタ本体７の穴７ｇ、ロック部材２１の穴２１ｂを挿通するシャフト２３により、ロック部材２１は、イジェクタ本体７に対して回転可能に取り付けられている。
【００２８】
ロック部材２１の一方の回転端部側（前面パネル６側）には、前面パネル６に形成された穴（被係合部）１６ａに係脱可能な係合部２１ｃが形成されている。イジェクタ本体７の中間部の前面パネル６と対向する面から、その面と反対側の面に向かって貫通した穴７ｆが形成されている。ロック部材２１の他方の回転部側は、イジェクタ本体７に形成された貫通した穴７ｆを貫通し、外部に露出する操作部２１ｄが形成されている。従って、ロック部材２１は操作部２１ｄがイジェクタ本体７の穴７ｆに当接する範囲で、回転可能となっている。そして、一端部がイジェクタ本体７に係止され、他端部がロック部材２１に係止されたスプリング（第３の付勢手段）３１により、ロック部材２１は、係合部２１ｃが前面パネル６に形成された穴（被係合部）１６ａに係合する方向（図１において矢印Ｄ方向）に付勢されている。
【００２９】
次に、図８−図１３を用いて、パッケージ１をシェルフに挿入する場合の作動を説明する。図８−図１３はパッケージをシェルフに挿入する際の作動を説明する構成図である。
先ず、図８に示すように、パッケージ１がシェルフに挿入されていない状態では、第２の付勢手段であるスプリング１９によって矢印Ｂ方向に付勢されたイジェクタ本体７は、第２当接部７ｅに設けられた金具１７が前面パネル６の穴６ａ近傍の箇所Ｈに当接し、イジェクタ本体７のそれ以上の回転が禁止されている。
【００３０】
このようなパッケージ１をシェルフに挿入すると、先ず、図９に示すように、イジェクタ本体７の第１当接部７ｄがはり１６の立壁部１６ｂの外側の面に押接する。この時、イジェクタ本体７には、イジェクタ本体７を矢印Ｂ方向と反対方向に回転させる分力が作用し、イジェクタ本体７は、第２の付勢手段であるスプリング１９の付勢力に抗して、矢印Ｂ方向と反対方向に回転する。尚、イジェクタ本体７の第１当接部７ｄがはり１６の立壁部１６ｂの外側の面に当接すると、イジェクタ本体７にイジェクタ本体７を矢印Ｂ方向と反対方向に回転させる分力が発生するように、イジェクタ本体７を位置させるように設定されている。
【００３１】
そして、パッケージ１をシェルフに挿入していくと、イジェクタ本体７は、更に、矢印Ｂ方向と反対方向に回転する（図１０参照）。パッケージ１のコネクタ１１がシェルフ側のコネクタ９に接続し始めると、図１１に示すように、イジェクタ本体１の第１当接部７ｄがはり１６の立壁部１６ｂの外側より離れ、第２当接部７ｅがはり１６の立壁部１６ｂの内側の面に接近した状態で、イジェクタ本体７の回転は一旦停止する。
【００３２】
次に、図１１に示すように、イジェクタ本体７の操作部７ｃを押し、スプリング１９の付勢力に抗してイジェクタ本体７を矢印Ｂ方向と反対方向に回転させる。すると、最初に、第１の付勢手段によって付勢された金具１７がシェルフのはり１６の立壁部１６ｂの内側の面に当接し、パッケージ１の前面パネル６に帯電している静電気が、導電性を有するシャフト１５、金具１７、シェルフのはり１６を介してフレームグランドに落とされる。更に、イジェクタ本体７を回転させると、イジェクタ本体７の第２当接部７ｅがはり１６の立壁部１６ｂの内側の面に押接し、シェルフに挿入されたパッケージ１には、シェルフに挿入される方向の力が作用し、再び、パッケージ１はシェルフに挿入される。
【００３３】
そして、イジェクタ本体７が矢印Ｂ方向と反対方向に更に回転すると、図１２に示すように、第３の付勢手段であるスプリング３１で付勢されたロック部材２１の係合部２１ｃが前面パネル６の穴６ａに係合し始め、図１３に示すように、ロック部材２１の係合部２１ｃが前面パネル６の穴６ａに係合する。ロック部材２１の係合部２１ｃが前面パネル６の穴６ａに係合することより、イジェクタ本体７の矢印Ｂ方向への回転が禁止され、イジェクタ本体７はその位置を保持する。そして、この状態では、パッケージ１のコネクタ１１とシェルフ側のコネクタ９との電気的な接続が完了する。
【００３４】
逆に、図１３の状態からパッケージ１をシェルフから抜く場合は、先ず、ロック部材２１の操作部２１ｄに操作力を加え、第３の付勢手段であるスプリング３１の付勢力に抗してロック部材２１を矢印Ｄ方向と反対方向に回転させ、ロック部材２１の係合部２１ｃと前面パネル６の穴６ａとの係合を解除する。すると、第２の付勢手段であるスプリング１９で付勢されたイジェクタ本体７が矢印Ｂ方向に回転し、図１０の状態となる。ここで、イジェクタ本体７の操作部７ｃにイジェクタ本体７が矢印Ｂ方向に回転する方向の操作力を加え、パッケージ１をシェルフから抜く。
【００３５】
上記構成によれば、以下のような効果を得ることができる。
（１）イジェクタ本体７に設けられ、前面パネル６と電気的に接続され、パッケージ１がシェルフに挿入された状態で、シェルフ(はり１６)に当接可能な導電性を有する金具１７と、金具１７がシェルフに当接する方向に付勢する第１の付勢手段と、を有することにより、パッケージ１をシェルフに挿入するだけで、前面パネル６に帯電した静電気を金具１７、シェルフを介してフレームグランドに落とすことができる。即ち、パッケージ１をシェルフに挿入するという簡単な操作で、確実に、静電気の除去ができる。
(２)金具１７は第１の付勢手段により付勢されてシェルフ(はり１６)に当接することにより、金属粉の発生も少ない。
(３)イジェクタ本体７を樹脂で形成することが可能となるので、例えば、イジェクタ本体７の操作部７ｃの幅を広く形成することにより、イジェクタ本体７の部品強度を確保しつつ、イジェクタ本体７の操作部７ｃを指で押した際に反力として指に加わる圧力を低下させ、強く操作しても痛くない形状を実現できる。
(４)金具１７は、パッケージ１の前面パネル６に設けられ、イジェクタ本体７のシャフト（回転軸)１５に回転可能に設けられることにより、即ち、イジェクタ本体７の回転軸と、金具１７の回転軸とを共用するようにしたことにより、部品点数を削減できる。
(５)イジェクタ本体７を回転付勢するスプリング（第２の付勢手段）１９と、イジェクタ本体７がスプリング１９によってそれ以上回転するのを禁止するストッパ部７ｊと、を設けたことにより、イジェクタ本体１は前面パネル６に対して常に同じ位置に位置する。よって、ストッパ部７ｊの位置を選定することにより、パッケージ１をシェルフに挿入する際にイジェクタ本体７を適正な位置に位置するような修正作業が不要となる。
(６)スプリング（第２の付勢手段）１９は、イジェクタ本体７の他方の回転端部の第１当接部７ｄがはり（シェルフ）６を押す方向に付勢し、イジェクタ本体７がスプリング１９によって回転するのを禁止／許可するロック手段(ロック部材２１、前面パネル６の穴６ａ、スプリング３１)を設け、イジェクタ本体７は、パッケージ１がシェルフに挿入されると、その他方の回転端部である第１当接部７ｄがはり（シェルフ）により押され、スプリング１９の付勢力に抗して回転する形状に設定されていることにより、パッケージ１をシェルフに挿入すると、イジェクタ本体７は、スプリング１９の付勢力に抗して回転し、操作が簡単となる。
【図面の簡単な説明】
【００３６】
【図１】イジェクタ本体の取付を説明する図である。
【図２】図１のロック手段を説明する図である。
【図３】図１の金具の取付を説明する図である。
【図４】図１の切断線Ａ−Ａでの断面図である。
【図５】パッケージの正面図である。
【図６】図５の上面図である。
【図７】図５の左側面図である。
【図８】パッケージをシェルフに挿入する際の作動を説明する構成図である。
【図９】パッケージをシェルフに挿入する際の作動を説明する構成図である。
【図１０】パッケージをシェルフに挿入する際の作動を説明する構成図である。
【図１１】パッケージをシェルフに挿入する際の作動を説明する構成図である。
【図１２】パッケージをシェルフに挿入する際の作動を説明する構成図である。
【図１３】パッケージをシェルフに挿入する際の作動を説明する構成図である。
【符号の説明】
【００３７】
１  パッケージ
７  イジェクタ本体
１７  金具
【図１】
2008130965.tif 000003
【図２】
2008130965.tif 000004
【図３】
2008130965.tif 000005
【図４】
2008130965.tif 000006
【図５】
2008130965.tif 000007
【図６】
2008130965.tif 000008
【図７】
2008130965.tif 000009
【図８】
2008130965.tif 000010
【図９】
2008130965.tif 000011
【図１０】
2008130965.tif 000012
【図１１】
2008130965.tif 000013
【図１２】
2008130965.tif 000014
【図１３】
2008130965.tif 000015